(57)【特許請求の範囲】
【請求項１】
蛍の幼虫およびその餌であるカワニナ等の貝類の生息に適合する河川等の自然の水流中に、該水流が容器内部を通過可能な網容器を配置し、この網容器の内部にカワニナ等の貝類を入れ、且つカワニナ等の類の好む野菜くず等の餌を投入して、貝類の育成を助長して稚貝などの貝類を繁殖させ、一方、雌雄の成虫蛍を入れ、成虫蛍が逃げないように閉鎖した産卵容器本体とその底部に設けた網床とからなる産卵容器の網床に水苔等の産卵床を載置し、網床の下部に水面が網床に接するか、網床に近接する孵化容器を配置し、雌雄の成虫蛍の交尾により産卵床に産卵した卵が孵化して生まれた蛍の幼虫が網床の網目を通過して孵化容器の水中に落下するようにし、この孵化容器に落下した蛍の幼虫を網容器の内部に入れ、網容器内で繁殖する貝類を餌として蛍の幼虫が網容器の内部で終齢幼虫に到るまで育成するようにした蛍の育成方法。
【請求項２】
蛍の幼虫およびその餌であるカワニナ等の貝類の生息に適合する河川等の自然の水流中に、該水流が容器内部を通過可能な網容器を配置し、この網容器の内部にカワニナ等の貝類を入れ、且つカワニナ等の類の好む野菜くず等の餌を投入して、貝類の育成を助長して稚貝などの貝類を繁殖させ、一方、雌雄の成虫蛍を入れ、成虫蛍が逃げないように閉鎖した産卵容器本体とその底部に設けた網床とからなる産卵容器を前記網容器の網目上面に載置し、産卵容器内の産卵床に産卵した卵が孵化して生まれた蛍の幼虫が網床の網目及び網容器の網目上面を通過して、直接に網容器の内部に落下するようにし、網容器内で繁殖する貝類を餌として蛍の幼虫が網容器の内部で終齢幼虫に到るまで育成するようにした蛍の育成方法。
【請求項３】
蛍の幼虫およびその餌であるカワニナ等の貝類の生息に適合する河川等の自然の水流中に、該水流が容器内部を通過可能な網容器を配置し、この網容器の内部にカワニナ等の貝類を入れ、且つカワニナ等の類の好む野菜くず等の餌を投入して、貝類の育成を助長して稚貝などの貝類を繁殖させると共に、網容器の内部に蛍の幼虫を入れ、網容器内で繁殖する貝類を餌として蛍の幼虫が網容器の内部で終齢幼虫に到るまで育成するようにし、前記網容器に設けた開口部付近上面に、土を内部に敷設した蛹化容器を載置し、該容器内の土と前記網容器内の水面とを連通する通路部材を設け、網容器内の終齢幼虫が通路部材を通って蛹化容器内の土内に潜り込み、蛹化するようにした蛍の育成方法。
【請求項４】
内部に収容したカワニナ、その稚貝等の貝類、及び蛍の幼虫が外部に逃げることができないが、内部を水流が通過可能な網目を有する網目容器本体と、該容器本体の内部に上記貝類や蛍の幼虫及びこれらの餌を投入可能で、閉鎖可能な開口部と、からなる網容器と、該容器本体の網目上面に載置され、成虫蛍が逃げないように閉鎖した産卵容器本体と該本体の底部に設けた網床と網床に載置した水苔等の産卵床とからなる産卵容器と、を備えた蛍の育成装置。
【請求項５】
内部に収容したカワニナ、その稚貝等の貝類、及び蛍の幼虫が外部に逃げることができないが、内部を水流が通過可能な網目を有する網目容器本体と、該容器本体の内部に上記貝類や蛍の幼虫及びこれらの餌を投入可能で、閉鎖可能な開口部と、からなる網容器、を備え、前記網容器に設けた開口部付近上面に、土を内部に敷設した蛹化容器を載置し、該容器内の土と前記網容器内の水面とを連通する通路部材を設けてなる蛍の育成装置。
【発明の詳細な説明】
【０００１】
【発明の属する技術分野】
本発明は、ゲンジホタルやヘイケホタル等の蛍を人工的に育成するために開発された、産卵・孵化から蛹化に到る蛍の育成方法とその装置に関する。
【０００２】
【従来の技術と課題】
蛍のライフサイクルは、良く知られているように、夏に、湿潤環境である水辺に産卵された卵が孵化した幼虫が水中に落下し、秋、冬の間に、水中のカワニナ等の貝類を餌として脱皮を繰り返し、春に、終齢幼虫となり、陸上に移動して土中に潜り込んで蛹化し、夏に蛹から羽化して成虫となり、交尾して産卵の後、その一生を終え、１世代のライフサイクルが完了するようになっている。
【０００３】
近時、水辺環境の悪化から蛍の成長に適した環境が失われており、このような状況に鑑み、蛍の人工繁殖や放流が盛んに行われているが、いまだ効率的に蛍の人工育成に成功した事例は少ない。
【０００４】
一般的に行われている蛍の人工育成方法としては、孵化した蛍の幼虫を、底の浅い孵化容器（パッド）に入れ、この水中に、カワニナの殻を破って、殻中の身を細かく裁断した細切れ身や、微小な貝である稚貝を投入し、これらを幼虫の餌としていたが、この方法では、細切れ身が腐り、孵化容器内の水が腐敗するため、人手によって頻繁の水の入れ換え作業を行わなければならず、又この水の入れ換え時に、水中に生存する蛍の幼虫をスポイドで吸い上げて移し換えるという時間と根気の必要な作業を行わなければならない。
【０００５】
また餌となるカワニナは、野外の自然の川から採集されることになるが、一度に大量に採集すると、その後の維持が難しく、餌として利用される前に死滅したり、自然の川のカワニナを餌とし、自然の中で生息する蛍にも悪影響を及ぼし、自然破壊につながることもあった。
【０００６】
更にまた、孵化容器や繁殖容器の水中は、その酸素濃度（溶存酸素量）が１００％に近い状態に維持し、且つ水温も２６度前後に維持する必要があった。このためには、孵化容器や繁殖容器には空調設備を付帯させて一定の温度に保ち、且つエアーコンプレーサーを付帯させて２４時間稼動によって水中を曝気して溶存酸素量を維持する必要があり、その維持管理費用が極めて高額になっていた。
【０００７】
本発明は、これらの難点を一挙に解消し、効率的な蛍の育成方法とその装置を提案することを解決課題とするものである。
【０００８】
【課題を解決するための手段】
上記課題を解消するために、請求項１に係る発明は、実施形態の参照符合を付して示せば、図１に示すように、蛍の幼虫Ａおよびその餌であるカワニナ等の貝類Ｂの生息に適合する河川等の自然の水流１中に、該水流１が容器内部２ａを通過可能な網容器２を配置し、この網容器２の内部２ａにカワニナ等の貝類Ｂを入れ、且つカワニナ等の貝類の好む野菜くず等の餌Ｃを投入して、貝類Ｂの育成を助長して稚貝などの貝類へを繁殖させ、一方、主に、図３に示すように、雌雄の成虫蛍Ｄを入れ、成虫蛍Ｄが逃げないように閉鎖した産卵容器本体３とその底部に設けた網床４とからなる産卵容器５の網床４に水苔等の産卵床６を載置し、網床４の下部に水面が網床に接するか、網床に近接する孵化容器７を配置し、雌雄の成虫蛍Ｄの交尾により産卵床６に産卵した卵が孵化して生まれた蛍の幼虫Ａが網床４の網目を通過して孵化容器７の水中に落下するようにし、この孵化容器に落下した蛍の幼虫を網容器２の内部２ａに入れ、網容器２内で繁殖する貝類Ｂを餌として蛍の幼虫Ａが網容器２の内部２ａで終齢幼虫Ａａ（図５）に到るまで育成するようにした蛍の育成方法に係る。
【００１０】
また請求項２に係る発明は、図１に示すように、蛍の幼虫Ａおよびその餌であるカワニナ等の貝類Ｂの生息に適合する河川等の自然の水流１中に、該水流１が容器内部２ａを通過可能な網容器２を配置し、この網容器２の内部２ａにカワニナ等の貝類Ｂを入れ、且つカワニナ等の貝類の好む野菜くず等の餌Ｃを投入して、貝類Ｂの育成を助長して稚貝などの貝類へを繁殖させ、一方、図４に示すように、前記産卵容器５を前記網容器２の網目上面２ｂに載置し、産卵容器５内の産卵床６に産卵した卵が孵化して生まれた蛍の幼虫Ａが網床４の網目及び網容器２の網目上面２ｂを通過して、直接に網容器２の内部２ａに落下するようにし、網容器２内で繁殖する貝類Ｂを餌として蛍の幼虫Ａが網容器２の内部２ａで終齢幼虫Ａａ（図５）に到るまで育成するようにした蛍の育成方法に係る。
【００１１】
また請求項３に係る発明は、図１に示すように、蛍の幼虫Ａおよびその餌であるカワニナ等の貝類Ｂの生息に適合する河川等の自然の水流１中に、該水流１が容器内部２ａを通過可能な網容器２を配置し、この網容器２の内部２ａにカワニナ等の貝類Ｂを入れ、且つカワニナ等の貝類の好む野菜くず等の餌Ｃを投入して、貝類Ｂの育成を助長して稚貝などの貝類へを繁殖させると共に、網容器２の内部に蛍の幼虫Ａを入れ、網容器２内で繁殖する貝類Ｂを餌として蛍の幼虫Ａが網容器２の内部２ａで終齢幼虫Ａａ（図５）に到るまで育成するようにし、図５及び図６に示すように、前記網容器２に設けた開口部２ｃ付近上面に、土８を内部に敷設した蛹化容器９を載置し、該容器内の土８と前記網容器２内の水面１ａとを連通する通路部材１０を設け、網容器２内の終齢幼虫Ａａが通路部材１０を通って蛹化容器９内の土８内に潜り込み、蛹化Ａｂするようにした蛍の育成方法に係る。
【００１２】
また請求項４に係る発明は、図１に示すように、内部２ａに収容したカワニナ、その稚貝等の貝類Ｂ、及び蛍の幼虫Ａが外部に逃げることができないが、内部２ａを水流が通過可能な網目を有する網目容器本体１１と、該容器本体１１の内部に上記貝類Ｂや蛍の幼虫Ａ及びこれらの餌Ｃを投入可能で、閉鎖可能な開口部２ｃと、からなる網容器２と、図４に示すように、該容器本体１１の網目上面２ｂに載置され、成虫蛍Ｄが逃げないように閉鎖した産卵容器本体３と該本体３の底部に設けた網床４と網床に載置した水苔等の産卵床６とからなる産卵容器５と、を備えた蛍の育成装置に係る。
【００１４】
また請求項５に係る発明は、図１に示すように、内部２ａに収容したカワニナ、その稚貝等の貝類Ｂ、及び蛍の幼虫Ａが外部に逃げることができないが、内部２ａを水流が通過可能な網目を有する網目容器本体１１と、該容器本体１１の内部に上記貝類Ｂや蛍の幼虫Ａ及びこれらの餌Ｃを投入可能で、閉鎖可能な開口部２ｃと、からなる網容器２、を備え、図５及び図６に示すように、前記網容器２に設けた開口部２ｃ付近上面に、土８を内部に敷設した蛹化容器７を載置し、該容器内の土８と前記網容器２内の水面１ａとを連通する通路部材１０を設けてなる蛍の育成装置に係る。
【００１５】
【発明の実施の形態】
図１は、本発明の一実施形態の使用状態を示す図であり、自然の水流１を備えた河川等に吊り紐１２で吊り下げて水中に網容器２を配置した状態を示す。図２は、網容器２を河川などの水流１中に配置した状態を示す。この網容器２の大きさや形状は特に限定されることはなく、例えば、横幅が５０cm、高さと奥行が３０cmの直方体からなるが、直径が３０cmの長い円筒体であってもよい。
【００１６】
網容器２は、少なくとも、図１に示すように、その側面周囲１１ａが網体から形成され、且つその上面２ｂも網体から形成され、その底面１１ｂは合成樹脂や金属の板体によって形成された網目容器本体１１と、該容器本体１１の内部２ａに上記貝類Ｂや蛍の幼虫Ａ及びこれらの餌Ｃを投入可能で、閉鎖可能な開口部２ｃとによって構成されている。開口部２ｃを閉鎖可能とするために、図示のように一端部を枢軸部１３ａとする蓋体１３が留め金具、係止布やファスナー等の止め具によって開口部２ｃに開閉可能に枢着されている。
【００１７】
上記開口部２ｃから網容器２の内部２ａに、カワニナ等の貝類Ｂと蛍の幼虫Ａとを図示のように多数入れ、且つ野菜くずや米等のカワニナＢなど貝類Ｂが好む餌Ｃを投入し、その底部に岩、小石及び砂Ｅを適宜に配置するようになっている。
【００１８】
また網容器２は、図２にも示すように河川等の水中に設置され、適宜吊り紐１２に吊るされ、該吊り紐１２を操作することによって、網容器２は、その内部２ａの蛍の幼虫Ａの成長に合わせて水面１ａに対して上下動できるようになっており、且つその水流１が網容器２の内部２ａを通過可能となっている。尤も、網容器２を、その内部２ａに大きな岩を入れるなどして適当な固定手段によって、河川等の底部に係留させるようにしてもよい。
【００１９】
網容器２の網目容器本体１１は、水流１が網目容器本体１１の内部２ａを通過可能であるが、内部２ａに収容される蛍の幼虫Ａやカワニナ等の貝類Ｂが網目を通して外部に逃げない程度の網目、例えば１〜２ｍｍの網目或いはそれ以下のメッシュの網体によって、該本体１１の側面周囲１１ａ及び上面２ｂが形成され、また底面１１ｂも網体によって形成してもよい。更にこれらの網体は周知のサランネット等合成樹脂製のネットによって形成してもよいが、河川等に生息するザリガリ等が網を破って内部２ａに侵入しないように金網によって形成することが好ましい。また、二重の網体とし、内側をメッシュの小さい合成樹脂性のネットとし、外側をメッシュの比較的に大きく強靱な金網としてもよい。
【００２０】
図３は、蛍の幼虫Ａを産卵孵化するための産卵・孵化容器５，７を示す。産卵容器５は、雌雄の成虫蛍Ｄを入れ、成虫蛍Ｄが逃げないように閉鎖した産卵容器本体３と、その底部に設けた網床４と、該網床４の上面に載置した産卵床６と、からなる。産卵容器本体３の上面３ａと側面３ｂは図示のように網体によって形成してもよいが、透明な合成樹脂体によって形成してもよい。なお、上面３ａには開放部３ｃを設け、これに蓋体３ｄを開閉可能に取り付けるようにしてもよい。そして産卵容器本体３の底面である網床４の下部に水面が網床４に接するか、網床４に近接する底の浅い皿状の孵化容器７を配置し、内部に水を充填している。孵化容器７が底の浅い皿状のものになっているのは、できるだけ水中に酸素を多く含んで、溶存酸素量を多く確保するためである。
【００２１】
網床４上に載置する産卵床６は、園芸用の水苔をよく殺菌消毒したもの、数枚重ねたガーゼ或いはスポンジ状のものを用いる。そして、該産卵床６が乾燥しないよう上述のように網床４の下部が孵化容器７の水面に接するようにして、産卵床６が適度な湿気を有するようにする。
【００２２】
蛍は羽化して成虫蛍Ｄとなるが、１週間〜２週間程度の短期間のうちに交尾・産卵して死滅するため、羽化したての成虫蛍Ｄの雌雄を捕獲して、これを図３に示すように、産卵容器５に入れて産卵床６に産卵させる。産卵された卵は約１ヵ月で孵化し、これにより生まれた蛍の幼虫Ａが網床４の網目を通過して孵化容器７の水中に落下する。孵化容器７に落下した蛍の幼虫ＡにカワニナＢの身を細かく裁断した細切れ身を幼虫Ａの餌として一回与え、その後に該幼虫Ａを図１に示す網容器２に入れることになる。
【００２３】
上述の産卵・孵化容器５，７は、網容器２とは別個に設け、産卵・孵化容器５，７で生まれた幼虫Ａを産卵・孵化容器５，７から取り出し、これを網容器２に移しかえるようにして使用する。このように、孵化容器７内で生まれた幼虫Ａに前述のように一回の餌を与えて若干の抵抗力を付けた上で、網容器２に移しかえるようになっているため、幼虫Ａの網容器２内での生存率を高めることができるが、その移しかえ作業が面倒である。
【００２４】
この面倒さを回避するために、図４に示すように、前記産卵・孵化容器５，７のうち、産卵容器５を前記網容器２の網目上面２ｂに載置し、産卵容器５内の産卵床６に産卵した卵が孵化して生まれた蛍の幼虫Ａが網床４の網目及び網容器２の網目上面２ｂを通過して、直接に網容器２内に落下するようにしてもよく、これによれば、いちいち孵化容器７内の幼虫Ａを網容器２内に移しかえる作業を必要としないから、それだけ育成作業を容易に行うことができる。
【００２５】
図１に示すように、網容器２の内部２ａには開口部２ｃから網容器２の内部２ａに、親貝であるカワニナＢを多数入れることによって、カワニナＢは岩Ｅや網体１１ａに付着し、開口部２ｃからカワニナＢの好むキャベツ等の野菜のくずや米等の餌Ｃを内部２ａに投入することによって、カワニナＢがこれらの餌Ｃによって急速に成長して、その胎生類の特徴として、親貝のカワニナＢより多数の稚貝Ｂが産出され、貝類Ｂが網容器２の内部２ａで大量に繁殖する。
【００２６】
貝類Ｂの繁殖した網容器２の内部２ａに、孵化容器７からの蛍の幼虫Ａを入れることによって、幼虫ＡはカワニナＢやその稚貝を餌として成長することになる。
【００２７】
ここで最も重要なことは、網容器２に生息する蛍の幼虫ＡやカワニナＢが死滅することなく効率的に育成されることである。このためには網容器２内の水の溶存酸素量を１００％近くに常時維持する必要がある。
【００２８】
本発明は、この点で、網容器２の網目容器本体１１は、前述のように、水流１が網目容器本体１１の内部２ａを通過可能であるが、内部２ａに収容される蛍の幼虫Ａやカワニナ等の貝類Ｂが網目を通して外部に逃げない程度の網目、例えば１〜２ｍｍ或いはそれ以下のメッシュの網体によって形成され、この条件を備えた網容器２を、図２に示すように、カワニナＢの生息に適した水流１を有する河川等の水中に設置するようにしたため、網容器２の内部２ａは常時溶存酸素量を１００％近く水が流通するようになっており、幼虫ＡやカワニナＢの効率的な育成を果たすことができ、しかも網容器２の内部２ａの溶存酸素量を維持するための設備を何ら必要としないから、その維持コストは零である。
【００２９】
更にまた、幼虫ＡとカワニナＢとは網容器２の内部２ａという環境のもとで育成するから、自然の河川等の環境のもとで育成するにもかかわらず、飛散したり、外部の天敵の被害を受けることがない。それがために蛍の幼虫Ａを図５に示すように終齢幼虫Ａａ（蛹化する直前の幼虫）に到るまで効率的に育成させることができる。
【００３０】
図５及び図６は、終齢幼虫Ａａを陸上に移動させて蛹化させるための装置を示すもので、桜の開花が終わる４月の末頃に蛍の幼虫が終齢幼虫Ａａとなって、その水中生活から陸上生活に移行することになるが、この移行を円滑に行わせるために、網容器２の開口部２ｃの蓋体１３を開放して、網目容器本体１１の網目上面２ｂに蛹化容器９を載置する。この蛹化容器９の内部には、終齢幼虫Ａａが潜り込むための蛹床である土８が敷設されている。この土８は、湿り過ぎても乾きすぎても不適で、握ってもほぐれない程度の水分を保持していることがよく、そのため土質は乾燥して固くならないものが適しており、蛍が生息していた河川の岸辺の土が最適であるが、黒土、畑土、山土或いはピートモスなどでも代用することができる。
【００３１】
そして、この蛹化容器９内の蛹床である土８と網容器２内の水面１ａとの間に終齢幼虫Ａａが移動することが可能な橋である通路部材１０を連結する。この通路部材１０はガーゼなどによって形成することが好ましい。
【００３２】
終齢幼虫Ａａは、夜間などに網容器２の側面壁を伝って通路部材１０を通って、蛹化容器９の開口部より土８の内部に潜り込むことになるが、この際に土８に潜る作業は容易でないので、この間は吊り紐１２によって網容器２を若干下げて、網容器２上の蛹化容器９を水面すれすれまで位置させて、内部の土８の水分を十分にして土８を柔らかくし終齢幼虫Ａａが土８の中に潜りやすくする。
【００３３】
このようにして土８中に潜った終齢幼虫Ａａは蛹化Ａｂして繭となり、それから１ヵ月ないし１．５ヵ月の間に羽化して成虫蛍となり、空中を乱舞し、夏の風物詩として親しまれることになる。
【００３４】
本発明では、蛹床である土８を内部に敷設した蛹化容器９を網容器２の上面に載置するだけであるから、終齢幼虫Ａａが土８に潜り込み、蛹Ａｂとなり、繭となっている頃に該蛹化容器９を網容器２から分離して、蛍を必要とする場所に運搬して、その場所で蛹化容器９を開放し、土８中の繭を羽化させるようにすれば、あらゆる場所で蛍を乱舞を味わうことができるという大きなメリットがある。
【００３５】
【発明の効果】
請求項１に係る発明によれば、蛍の幼虫およびその餌であるカワニナ等の貝類の生息に適合する河川等の自然の水流中に、該水流が容器内部を通過可能な網容器を配置し、この網容器の内部にカワニナ等の貝類を入れ、且つカワニナ等の類の好む野菜くず等の餌を投入して、貝類の育成を助長して稚貝などの貝類を繁殖させる共に、網容器の内部に蛍の幼虫を入れ、網容器内で繁殖する貝類を餌として蛍の幼虫が網容器の内部で終齢幼虫に到るまで育成するようにしたため、網容器の内部には常時溶存酸素量が１００％近くの水が流通するようになっており、幼虫やカワニナの効率的な育成を果たすことができ、しかも網容器の内部の溶存酸素量を維持するための設備を何ら必要としないから、その維持コストは最小限に留めることができる。
【００３６】
しかも、蛍の幼虫とカワニナ等の貝類とは網容器の内部という規制された環境のもとで育成されるから、自然の河川等の環境のもとで育成するにもかかわらず、飛散したり、外部の天敵の被害を受けることがない。それがために蛍の幼虫を終齢幼虫（蛹化する直前の幼虫）に到るまで効率的に育成させることができる。
【００３７】
更に又、蛍の幼虫の餌であるカワニナ等の貝類は網容器内で育成されて、河川等の自然環境の中で採取しないので自然破壊の原因となることはない。又、網容器の内部で蛍の幼虫を育成するため、該幼虫の生存を確認することができ、必要とする数だけの蛍を供給することができる。
【００３８】
また本発明によれば、雌雄の成虫蛍から容易に且つ確実に蛍の幼虫を、該幼虫を育成するための育成装置（網容器）に供給することができる。
【００３９】
請求項２に係る発明によれば、雌雄の成虫蛍から容易に且つ確実に、しかも作業能率よく、蛍の幼虫を育成するための育成装置（網容器）に供給することができる。
【００４０】
請求項３に係る発明によれば、前記網容器に設けた開口部付近上面に、土を内部に敷設した蛹化容器を載置し、該容器内の土と前記網容器内の水面とを連通する通路部材を設け、網容器内の終齢幼虫が通路部材を通って蛹化容器内の土内に潜り込み、蛹化するようにしたため、網容器内の終齢幼虫を確実に蛹化させることができ、しかも蛹床である土を内部に敷設した蛹化容器を網容器の上面に載置するだけであるから、終齢幼虫が土に潜り込み、蛹となり、繭となっている頃に該蛹化容器を網容器から分離して、蛍を必要とする場所に運搬して、その場所で蛹化容器を開放し、土中の繭を羽化させるようにすれば、あらゆる場所で蛍の乱舞を味わうことができるという大きなメリットがある。
【００４１】
請求項４に係る発明によれば、内部に収容したカワニナ、その稚貝等の貝類、及び蛍の幼虫が外部に逃げることができないが、内部を水流が通過可能な網目を有する網目容器本体と、該容器本体の内部に上記貝類や蛍の幼虫及びこれらの餌を投入可能で、閉鎖可能な開口部と、からなる網容器と、該容器本体の網目上面に載置され、成虫蛍が逃げないように閉鎖した産卵容器本体と該本体の底部に設けた網床と網床に載置した水苔等の産卵床とからなる産卵容器と、を育成装置として用いるため、カワニナの生息に適した水流を有する河川等の水中に網容器を設置することによって、網容器の内部には常時溶存酸素量が１００％近くの水が流通するようになっており、幼虫やカワニナの効率的な育成を果たすことができ、しかも網容器の内部の溶存酸素量を維持するための設備を何ら必要としないから、その維持コストを最小限に維持することができる。
【００４２】
更にまた、幼虫とカワニナとは網容器の内部という規制された環境のもとで育成するから、自然の河川等の環境のもとで育成するにもかかわらず、飛散したり、外部の天敵の被害を受けることがない。それがために蛍の幼虫を終齢幼虫（蛹化する直前の幼虫）に到るまで網容器の内部で効率的に育成させることができる。
【００４３】
請求項５に係る発明によれば、請求項３に掲げる作用効果を発揮することができるにも係わらず、その構成が簡単で安価に蛍の育成装置を製作することができる。
【図面の簡単な説明】
【図１】  本発明の一実施形態の使用状態を示す縦断正面図である。
【図２】  同使用状態を示す斜視図である。
【図３】  同他の要部を示す縦断正面図である。
【図４】  同他の実施形態の要部を示す縦断正面図である。
【図５】  同他の要部を示す縦断正面図である。
【図６】  同斜視図である。
【符号の説明】
Ａ            蛍の幼虫
Ｂ            カワニナ等の貝類
１            水流
１ａ          水面
２            網容器
２ａ          網容器の内部
２ｂ          網容器の網目上面
２ｃ          網容器の開口部
Ｃ            野菜くず等の餌
Ａａ          終齢幼虫
Ｄ            成虫蛍
３            産卵容器本体
４            網床
５            産卵容器
６            産卵床
７            孵化容器
８            蛹床である土
９            蛹化容器
１０          通路部材
１１          網目容器本体
【図１】
0004681764.tif 000002
【図２】
0004681764.tif 000003
【図３】
0004681764.tif 000004
【図４】
0004681764.tif 000005
【図５】
0004681764.tif 000006
【図６】
0004681764.tif 000007